(57)【要約】【課題】携帯端末機の現在位置に対応する周辺情報をサーバから携帯端末機へ送信することができ、尚且つユーザ自身が携帯電話機からサーバの周辺情報を他ユーザに閲覧可能に書込み・編集することができ、これによって複数のユーザが常時最新情報を享受可能とすること。【解決手段】サーバ１４が、携帯端末機１２からの現在位置情報の受信時に、記録手段２８ｄで店舗一覧ＤＢ２８ａから現在位置情報に緯度経度が対応及び近い所在地データを検索し、この検索所在地データに関連付けられた他のデータを読出し、これを地図ＤＢ２８ｂの同緯度経度の地図情報に併合して周辺情報として該携帯端末機１２へ返信する。また、店舗に関するコメント及び写真／動画のデータを同携帯端末機１２から受信時に、受信データを書込み編集手段３０ａで店舗一覧ＤＢ２８ａに書込み又は編集する。【選択図】      図１
2009043006.tif 000002
【特許請求の範囲】
【請求項１】
文字及び画像のデータを入力でき、そのデータ及び音声の無線通信を行うと共に自機の現在位置を取得可能な携帯端末機と、この携帯端末機と通信を行うサーバとを有する周辺情報提供システムにおいて、
前記サーバは、
店舗に関する情報が格納された店舗一覧データベースと、緯度経度情報を有する各地域の地図情報が格納された地図データベースとを記憶し、これらデータベースへのデータの記録及び読出しを行う記録手段を有する記憶手段と、
前記店舗一覧データベースに、前記携帯端末機から受信した文字及び画像のデータを書込み又は編集する処理を前記記録手段との連携で行う書込み編集手段とを備え、
このサーバは、前記携帯端末機から現在位置情報を受信した際に、前記記録手段によって前記店舗一覧データベースの中から該現在位置情報に緯度経度が対応及び近い所在地データを検索し、この検索所在地データに関連付けられた他のデータを読出し、これを前記地図データベースの同緯度経度の地図情報に併合して周辺情報として該携帯端末機へ返信し、また、その返信された周辺情報内の店舗に関するコメント及び写真／動画のデータを同携帯端末機から受信した際に、この受信データを前記書込み編集手段によって前記店舗一覧データベースに書込み又は編集することを特徴とする周辺情報提供システム。
【請求項２】
前記携帯端末機は、画像を撮影するカメラと、このカメラで撮影された画像の特徴量を取得する特徴量取得手段を備え、
前記サーバは、店舗画像の画像特徴量に関する情報が格納された店舗画像特徴量データベースを更に備え、
前記サーバは、前記携帯端末機から現在位置情報及び画像特徴量を受信した際に、前記記録手段によって前記店舗一覧データベースの中から該現在位置情報に緯度経度が対応及び近い所在地データを検索し、この検索所在地データに関連付けられた他のデータを選択し、また、前記店舗画像特徴量データベースの中から該画像特徴量に対応する特徴量データを検索し、この特徴量データが関連付けられた他のデータを選択し、双方の選択によるデータに共通のデータを最終的に選択し、この選択データを前記地図データベースの同緯度経度の地図情報に併合して周辺情報として該携帯端末機へ返信することを特徴とする請求項１に記載の周辺情報提供システム。
【請求項３】
前記携帯端末機は、前記カメラで撮影時のユーザの手振れや撮影アングルを自動で補正する補正手段を更に備え、
前記特徴量取得手段で画像特徴量を取得する際に、前記補正手段でユーザの手振れや撮影アングルを補正し、この補正後の画像の特徴量を取得することを特徴とする請求項２に記載の周辺情報提供システム。
【請求項４】
文字及び画像のデータを入力でき、そのデータ及び音声の無線通信を行うと共に自機の現在位置を取得可能な携帯端末機と通信を行うサーバにおいて、
店舗に関する情報が格納された店舗一覧データベースと、緯度経度情報を有する各地域の地図情報が格納された地図データベースとを記憶し、これらデータベースへのデータの記録及び読出しを行う記録手段を有する記憶手段と、
前記店舗一覧データベースに、前記携帯端末機から受信した文字及び画像のデータを書込み又は編集する処理を前記記録手段との連携で行う書込み編集手段とを備え、
前記携帯端末機から現在位置情報を受信した際に、前記記録手段によって前記店舗一覧データベースの中から該現在位置情報に緯度経度が対応及び近い所在地データを検索し、この検索所在地データに関連付けられた他のデータを読出し、これを前記地図データベースの同緯度経度の地図情報に併合して周辺情報として該携帯端末機へ返信し、また、その返信された周辺情報内の店舗に関するコメント及び写真／動画のデータを同携帯端末機から受信した際に、この受信データを前記書込み編集手段によって前記店舗一覧データベースに書込み又は編集することを特徴とするサーバ。
【請求項５】
店舗画像の画像特徴量に関する情報が格納された店舗画像特徴量データベースを更に備え、
前記携帯端末機から現在位置情報及びカメラ撮影された画像の特徴量を受信した際に、前記記録手段によって前記店舗一覧データベースの中から該現在位置情報に緯度経度が対応及び近い所在地データを検索し、この検索所在地データに関連付けられた他のデータを選択し、また、前記店舗画像特徴量データベースの中から該特徴量に対応する特徴量データを検索し、この特徴量データが関連付けられた他のデータを選択し、双方の選択によるデータに共通のデータを最終的に選択し、この選択データを前記地図データベースの同緯度経度の地図情報に併合して周辺情報として該携帯端末機へ返信することを特徴とする請求項４に記載のサーバ。
【請求項６】
自機の現在位置を取得可能な携帯端末機と、この携帯端末機と通信を行うサーバとを用いた周辺情報提供方法であって、
前記携帯端末機の現在位置を取得する位置取得ステップと、取得された現在位置に緯度経度が対応及び近い所在地の店舗に関する周辺情報をデータベースから取得する周辺情報取得ステップと、前記データベースに格納されている情報を更新する更新処理ステップとを含むことを特徴とする周辺情報提供方法。
【請求項７】
自機の現在位置を取得可能な携帯端末機と、この携帯端末機と通信を行うサーバとを用いた周辺情報提供方法であって、
前記携帯端末機の現在位置を取得する位置取得ステップと、情報取得対象の店舗を撮影した画像の画像特徴量を取得する画像特徴量取得ステップと、取得された現在位置及び取得された画像特徴量に対応する情報をデータベースから取得する情報取得ステップと、前記データベースに格納されている情報を更新する更新処理ステップとを含むことを特徴とする周辺情報提供方法。
【発明の詳細な説明】
【技術分野】
【０００１】
本発明は、ユーザの現在地の周辺に存在する飲食店や服飾店等の店舗情報並びに娯楽施設等の施設情報等を示す周辺情報を、そのユーザが所持する携帯電話機等の携帯端末機の現在位置情報に応じてサーバから当該携帯電話機へ送信する周辺情報提供システム、サーバ、周辺情報提供方法に関する。
【背景技術】
【０００２】
従来、ユーザが例えば店舗情報を調べる場合、雑誌や旅行ガイドブックを読んだり、インターネットで店舗名等から店舗情報を検索したりしていた。しかし、それらの調べ方では、日常の外出や旅行中に直ぐに必要な情報を調べることは難しかった。
必要な情報を直ぐに調べる方法として、例えばユーザが所持する携帯電話機等の携帯端末機にサーバから店舗情報等を配信するシステム等が存在する（特許文献１〜９参照）。
【０００３】
特許文献１は、地図上に店舗に関する広告情報を載せてユーザ（受給者）が地図上の店舗を選択した際に店舗に関する広告情報をユーザへ提供する。
特許文献２は、ユーザが情報共有を容易に効率よく行うことのできる情報共有システムとして、サーバに登録された電子パンフレットの検索・閲覧を行う。
特許文献３は、サーバから提供される情報をユーザが持つ携帯端末機で確認し、それに応じて行動していくことができるようにする。
【０００４】
特許文献４は、外出先での複合商業施設の案内情報を提供する情報配信サーバ装置である。
特許文献５は、日常の外出や旅行中に携帯端末を持ったユーザが情報提供地域に入ったら、記憶されている情報が携帯電話機に届く仕組みである。
特許文献６は、携帯端末機からユーザが選択した選択カテゴリ情報と該携帯端末機の位置情報とに適合する情報を検索して送信する。
特許文献７は、携帯端末機からユーザが入力したキーワードと当該携帯端末機の現在位置の情報とをデータベースが受信した際に、そのキーワード及び現在位置から所定の距離の範囲内の位置情報が対応されているレストラン等のＵＲＬを検索し、この検索結果を携帯端末機に送信する。
【０００５】
特許文献８は、サーバ装置が、携帯端末機からのアクセスに呼応し、携帯端末機の位置情報に基づき位置情報に関連した情報を記憶手段より読み出して、リアルタイムにかつ、自動的に音声及び映像によって携帯端末機に提供する。
特許文献９は、自端末機の位置情報から変換処理群を選択し、この選択した変換処理群のうち現在地の位置情報に関連する変換処理を実行する。その変換処理群の一つは、交通機関の最寄りステーション名をユーザに提示する動作であり、この他の一つは、交差点名、インターチェンジ名、パーキング名を含む最寄りランドマーク名をユーザに提示する動作である。
【０００６】
【特許文献１】特許２７５６４８３号公報
【特許文献２】特開２００５−２９３２７６号公報
【特許文献３】特開２００１−３０８７７８号公報
【特許文献４】特開２００３−２３３６１９号公報
【特許文献５】特開２００２−１８３００７号公報
【特許文献６】特開２００３−１４３３２９号公報
【特許文献７】特開２００５−４７８２号公報
【特許文献８】特開２００６−１７２３９９号公報
【特許文献９】特開２００４−１５６３０号公報
【発明の開示】
【発明が解決しようとする課題】
【０００７】
しかし、上述したように雑誌やガイドブックで店舗情報を調べる場合、常に最新情報を得ることはできず、更に、インターネットで調べた場合でも殆どの場合、店舗に関する情報をユーザが一方的に閲覧することしかできず、ユーザ自身が店舗情報を他のユーザに閲覧可能に書込み・編集することはできないという問題がある。
また、上記特許文献１〜９においても次のような問題がある。
特許文献１では、店舗に関する広告情報が地図上に関連づけられているので、ユーザの位置情報自体に対応した広告情報では無く、更に、ユーザ自身が提示された広告情報に対して他のユーザに閲覧可能にコメントの書込み・編集を行うことができない。
特許文献２では、ユーザがサーバに登録された電子パンフレットの検索／閲覧を行うのみで、電子パンフレット自体に他のユーザに閲覧可能に書込み・編集を行うことはできない。
【０００８】
特許文献３では、ユーザへ表示する情報がユーザの居る場所の周辺店舗情報であり、ユーザ自身が他のユーザに閲覧可能に店舗情報を書込み・編集することはできない。
特許文献４では、携帯電話にユーザが事前に登録した「カップル」、「ファミリ」、「友達」等のカテゴリに関連するコンテンツを配信するものであり、利用の際にユーザは予めカテゴリをサーバに登録する必要がある。更に登録後はカテゴリ別の情報を閲覧することしか出来ず、最新の情報をユーザに提供する為には、常にサーバの案内情報を更新する手間が必要となる。
【０００９】
特許文献５では、ユーザは情報の閲覧しか行うことができず、情報発信位置に関連した情報、情報発信位置で取り扱う商品に関連した情報、広告に関連した情報、及び地域関連情報に関してユーザ自身が他のユーザに閲覧可能に書込み・編集を行うことはできない。
更に、特許文献６〜９においては、何れも携帯端末機の現在位置（ユーザ入力のキーワードを含むケースもある）をサーバが受信した際に、その現在位置（キーワードを含むケースもある）に対応するＵＲＬ等の情報を検索して携帯端末機へ送信することはできる。しかし、この技術内容では、上記同様にユーザ自身が携帯電話機にてサーバの記憶する周辺情報を他のユーザに閲覧可能に書込み・編集することはできなかった。
【００１０】
本発明は、このような課題に鑑みてなされたものであり、携帯端末機の現在位置に対応する周辺情報をサーバから携帯端末機へ送信することができ、尚且つユーザ自身が携帯電話機からサーバの周辺情報を他ユーザに閲覧可能に書込み・編集することができ、これによって複数のユーザが常時最新情報を享受可能とすることができる周辺情報提供システム、サーバ、周辺情報提供方法を提供することを目的としている。
【課題を解決するための手段】
【００１１】
上記目的を達成するために、本発明の請求項１による周辺情報提供システムは、文字及び画像のデータを入力でき、そのデータ及び音声の無線通信を行うと共に自機の現在位置を取得可能な携帯端末機と、この携帯端末機と通信を行うサーバとを有する周辺情報提供システムにおいて、前記サーバは、店舗に関する情報が格納された店舗一覧データベースと、緯度経度情報を有する各地域の地図情報が格納された地図データベースとを記憶し、これらデータベースへのデータの記録及び読出しを行う記録手段を有する記憶手段と、前記店舗一覧データベースに、前記携帯端末機から受信した文字及び画像のデータを書込み又は編集する処理を前記記録手段との連携で行う書込み編集手段とを備え、このサーバは、前記携帯端末機から現在位置情報を受信した際に、前記記録手段によって前記店舗一覧データベースの中から該現在位置情報に緯度経度が対応及び近い所在地データを検索し、この検索所在地データに関連付けられた他のデータを読出し、これを前記地図データベースの同緯度経度の地図情報に併合して周辺情報として該携帯端末機へ返信し、また、その返信された周辺情報内の店舗に関するコメント及び写真／動画のデータを同携帯端末機から受信した際に、この受信データを前記書込み編集手段によって前記店舗一覧データベースに書込み又は編集することを特徴とする。なお、店舗一覧データベースは、例えば、店舗の名称を表す店舗名データと、該店舗に最も近い駅名を表す最寄駅名データと、該店舗の位置情報を緯度経度で表す所在地データと、該店舗の情報を文字で記述したコメント情報と、該店舗の写真及び動画を表す写真／動画データとの各々が関連付けられて格納されたデータベースである。
【００１２】
この構成によれば、ユーザが現在地の店舗情報を知りたい場合に、そのユーザが所持する携帯電話機の現在位置情報をトリガとし、この現在位置の周辺の店舗情報をサーバで検索して当該携帯電話機へ送信することができるので、ユーザはその店舗情報を携帯端末機に表示して閲覧することが可能となる。更に、ユーザ自身が携帯電話機にて店舗情報を他ユーザに閲覧可能にサーバに追記・編集可能となるので、複数のユーザが常に最新の情報を享受することが可能となる。
【００１３】
また、本発明の請求項２による周辺情報提供システムは、請求項１において、前記携帯端末機は、画像を撮影するカメラと、このカメラで撮影された画像の特徴量を取得する特徴量取得手段を備え、前記サーバは、店舗画像の画像特徴量に関する情報が格納された店舗画像特徴量データベースを更に備え、前記サーバは、前記携帯端末機から現在位置情報及び画像特徴量を受信した際に、前記記録手段によって前記店舗一覧データベースの中から該現在位置情報に緯度経度が対応及び近い所在地データを検索し、この検索所在地データに関連付けられた他のデータを選択し、また、前記店舗画像特徴量データベースの中から該画像特徴量に対応する特徴量データを検索し、この特徴量データが関連付けられた他のデータを選択し、双方の選択によるデータに共通のデータを最終的に選択し、この選択データを前記地図データベースの同緯度経度の地図情報に併合して周辺情報として該携帯端末機へ返信することを特徴とする。なお、店舗画像特徴量データベースは、例えば、店舗の名称を表す店舗名データと、該店舗に最も近い駅名を表す最寄駅名データと、該店舗の画像を表す画像データと、該店舗の画像の特徴量データとの各々が関連付けられて格納されたデータベースである。
【００１４】
この構成によれば、ユーザの現在位置情報及び店舗画像特徴量から選定した店舗情報のみをサーバから送信することで、それを受信する携帯端末機の稼動負荷を抑えることが可能となる。また、ユーザの希望店舗情報のみを携帯端末機に送ることで、それ以外の無意味な情報を送ることを防止でき、ユーザに余計な選択動作を行わせることを防止可能となる。
【００１５】
また、本発明の請求項３による周辺情報提供システムは、請求項２において、前記携帯端末機は、前記カメラで撮影時のユーザの手振れや撮影アングルを自動で補正する補正手段を更に備え、前記特徴量取得手段で画像特徴量を取得する際に、前記補正手段でユーザの手振れや撮影アングルを補正し、この補正後の画像の特徴量を取得することを特徴とする。
この構成によれば、撮影時のユーザの手振れや撮影アングルの補正処理によって、より適正な店舗の画像特徴量を得ることができる。
【００１６】
また、本発明の請求項４によるサーバは、文字及び画像のデータを入力でき、そのデータ及び音声の無線通信を行うと共に自機の現在位置を取得可能な携帯端末機と通信を行うサーバにおいて、店舗に関する情報が格納された店舗一覧データベースと、緯度経度情報を有する各地域の地図情報が格納された地図データベースとを記憶し、これらデータベースへのデータの記録及び読出しを行う記録手段を有する記憶手段と、前記店舗一覧データベースに、前記携帯端末機から受信した文字及び画像のデータを書込み又は編集する処理を前記記録手段との連携で行う書込み編集手段とを備え、前記携帯端末機から現在位置情報を受信した際に、前記記録手段によって前記店舗一覧データベースの中から該現在位置情報に緯度経度が対応及び近い所在地データを検索し、この検索所在地データに関連付けられた他のデータを読出し、これを前記地図データベースの同緯度経度の地図情報に併合して周辺情報として該携帯端末機へ返信し、また、その返信された周辺情報内の店舗に関するコメント及び写真／動画のデータを同携帯端末機から受信した際に、この受信データを前記書込み編集手段によって前記店舗一覧データベースに書込み又は編集することを特徴とする。なお、店舗一覧データベースは、例えば、店舗の名称を表す店舗名データと、該店舗に最も近い駅名を表す最寄駅名データと、該店舗の位置情報を緯度経度で表す所在地データと、該店舗の情報を文字で記述したコメント情報と、該店舗の写真及び動画を表す写真／動画データとの各々が関連付けられて格納されたデータベースである。
【００１７】
この構成によれば、サーバにおいて、ユーザが所持する携帯電話機の現在位置情報をトリガとし、この現在位置の周辺の店舗情報を検索して当該携帯電話機へ送信することができる。従って、ユーザはその店舗情報を携帯端末機に表示して閲覧することが可能となる。更に、ユーザ自身が携帯電話機にて店舗情報を他ユーザに閲覧可能にサーバに追記・編集可能となるので、複数のユーザが常に最新の情報を享受することが可能となる。
【００１８】
また、本発明の請求項５によるサーバは、請求項４において、店舗画像の画像特徴量に関する情報が格納された店舗画像特徴量データベースを更に備え、前記携帯端末機から現在位置情報及びカメラ撮影された画像の特徴量を受信した際に、前記記録手段によって前記店舗一覧データベースの中から該現在位置情報に緯度経度が対応及び近い所在地データを検索し、この検索所在地データに関連付けられた他のデータを選択し、また、前記店舗画像特徴量データベースの中から該特徴量に対応する特徴量データを検索し、この特徴量データが関連付けられた他のデータを選択し、双方の選択によるデータに共通のデータを最終的に選択し、この選択データを前記地図データベースの同緯度経度の地図情報に併合して周辺情報として該携帯端末機へ返信することを特徴とする。なお、店舗画像特徴量データベースは、例えば、店舗の名称を表す店舗名データと、該店舗に最も近い駅名を表す最寄駅名データと、該店舗の画像を表す画像データと、該店舗の画像の特徴量データとの各々が関連付けられて格納されたデータベースである。
【００１９】
この構成によれば、サーバにおいて、ユーザの現在位置情報及び店舗画像特徴量から選定した店舗情報のみを送信することで、それを受信する携帯端末機の稼動負荷を抑えることが可能となる。また、ユーザの希望店舗情報のみを携帯端末機に送ることで、それ以外の無意味な情報を送ることを防止でき、ユーザに余計な選択動作を行わせることを防止可能となる。
【００２０】
本発明の請求項６による周辺情報提供方法は、自機の現在位置を取得可能な携帯端末機と、この携帯端末機と通信を行うサーバとを用いた周辺情報提供方法であって、
前記携帯端末機の現在位置を取得する位置取得ステップ（図５中のステップＳ１、Ｓ２に対応）と、取得された現在位置に緯度経度が対応及び近い所在地の店舗に関する周辺情報をデータベースから取得する周辺情報取得ステップ（図５中のステップＳ６〜Ｓ９に対応）と、前記データベースに格納されている情報を更新する更新処理ステップ（図５中のステップＳ１２〜Ｓ１５に対応）とを含むことを特徴とする。
【００２１】
この構成によれば、ユーザが現在地の店舗情報を知りたい場合に、そのユーザが所持する携帯電話機の現在位置情報をトリガとし、この現在位置の周辺の店舗情報をサーバで検索して当該携帯電話機へ送信することができるので、ユーザはその店舗情報を携帯端末機に表示して閲覧することが可能となる。更に、ユーザ自身が携帯電話機にて店舗情報を他ユーザに閲覧可能にサーバに追記・編集可能となるので、複数のユーザが常に最新の情報を享受することが可能となる。
【００２２】
また、本発明の請求項７による周辺情報提供方法は、自機の現在位置を取得可能な携帯端末機と、この携帯端末機と通信を行うサーバとを用いた周辺情報提供方法であって、
前記携帯端末機の現在位置を取得する位置取得ステップ（図６中のステップＳ２１、Ｓ２２に対応）と、情報取得対象の店舗を撮影した画像の画像特徴量を取得する画像特徴量取得ステップ（図６中のステップＳ２５に対応）と、取得された現在位置及び取得された画像特徴量に対応する情報をデータベースから取得する情報取得ステップ（図６中のステップＳ２９〜Ｓ３２に対応）と、前記データベースに格納されている情報を更新する更新処理ステップ（図６中のステップＳ３５〜Ｓ３８に対応）とを含むことを特徴とする。
【００２３】
この構成によれば、ユーザの現在位置情報及び店舗画像特徴量から選定した店舗情報のみをサーバから送信することで、それを受信する携帯端末機の稼動負荷を抑えることが可能となる。また、ユーザの希望店舗情報のみを携帯端末機に送ることで、それ以外の無意味な情報を送ることを防止でき、ユーザに余計な選択動作を行わせることを防止可能となる。
【発明の効果】
【００２４】
以上説明したように本発明によれば、携帯端末機の現在位置に対応する周辺情報をサーバから携帯端末機へ送信することができ、尚且つユーザ自身が携帯電話機からサーバの周辺情報を他ユーザに閲覧可能に書込み・編集することができ、これによって複数のユーザが常時最新情報を享受可能とすることができるという効果がある。
【発明を実施するための最良の形態】
【００２５】
以下、本発明の実施の形態を、図面を参照して説明する。
図１は、本発明の実施の形態に係る周辺情報提供システムの構成を示すブロック図である。
図１に示す周辺情報提供システム１０は、携帯電話機等の携帯端末機１２と、この携帯端末機１２と図示せぬ無線基地局装置を介して無線通信を行うサーバ１４とを備えて構成されている。
携帯端末機１２は、入力手段１６ａを有する入力部１６と、表示手段１８ａを有する表示部１８と、位置取得手段２０ａを有する位置特定部２０と、補正手段２２ａ及び特徴量取得手段２２ｂを有するカメラ部２２と、中継手段２４ａを有する通信部２４とを備えて構成されている。
【００２６】
サーバ１４は、中継手段２６ａを有する通信部２６と、図２にデータ構成例を示す店舗一覧ＤＢ（データベース）２８ａ、図３にデータ構成例を示す地図ＤＢ２８ｂ、図４にデータ構成例を示す店舗画像特徴量ＤＢ２８ｃ、及び記録手段２８ｄを有する記憶部（記憶手段）２８と、書込み編集手段３０ａを有する演算部３０とを備えて構成されている。
入力手段１６ａは、ユーザからの入力情報を受け付ける処理を行い、当該入力手段１６ａを有する入力部１６は、キーボード、マウス、スキャナー及びＯＣＲ(Optical Character Reader)などで実現される。
表示手段１８ａは、文字や記号並びに画像等を表示する処理を行い、当該表示手段１８ａを有する表示部１８は、ディスプレイ、プリンタ等で実現される。
【００２７】
位置取得手段２０ａは、携帯端末機１２の現在位置の情報（現在位置情報）を取得する処理を行い、当該位置取得手段２０ａを有する位置特定部２０は、ＧＰＳ(Global Positioning System)等の位置特定処理機能で実現される。
カメラ部２２は、ＣＣＤ(Charge Coupled Device)カメラ等で静止画（写真）や動画を撮影する処理を行うと共に、補正手段２２ａによって、その撮影時にユーザの手振れや携帯端末機１２の撮影アングルを自動で補正する処理を行い、更に、特徴量取得手段２２ｂによって、その撮影された例えば店舗の画像特徴量を取得する処理を行う。
【００２８】
更に詳細に説明すると、補正手段２２ａによる補正は、画像撮影中に生じる手振れ補正では例えば撮影した映像の結果から手振れを検出してＣＣＤが補正する電子式手振れ補正方式や、レンズを上下左右に動かして補正する光学式手振れ補正方式等を用いる。更に、携帯端末機１２の撮影アングルの補正は、例えば６軸加速度センサー等を用いて携帯端末機１２の状態を検知して行う。
【００２９】
また、特徴量取得手段２２ｂによる画像特徴量の取得は、周知の画像特徴量抽出法である色ヒストグラム、グレースケールパターン、空間周波数、モルフォロジ等の処理を用いて行う。ここでは、色ヒストグラム処理を用いて行うものとする。
色ヒストグラム処理は、画像の輝度分布をグラフ化（ヒストグラム化）するものであり、ここでは、図４の店舗画像特徴量ＤＢ２８ｃ中の特徴量データ２８ｃ−４に示すように、画像のＲ（赤）・Ｇ（緑）・Ｂ（青）の画素の頻度をヒストグラム化したものである。
【００３０】
通信部２４，２６は、ネットワークインターフェース、無線機等であり、この通信部２４，２６で実現される中継手段２４ａ，２６ａは、携帯端末機１２とサーバ１４間の情報の中継を行う。
書込み編集手段３０ａは、計算機やＣＰＵ等の演算部３０で実現され、店舗一覧ＤＢ２８ａに、店舗に関するコメント情報を、携帯端末機１２で撮影された店舗に関する写真や動画と併せて書込み・編集する処理を行う。
【００３１】
記憶部２８は、記録手段２８ｄによって情報の書込みや読出しが可能なハードディスクや各種メモリ装置であり、この装置内に店舗一覧ＤＢ２８ａ、地図ＤＢ２８ｂ及び店舗画像特徴量ＤＢ２８ｃが構成されている。
記録手段２８ｄは、店舗一覧ＤＢ２８ａ及び店舗画像特徴量ＤＢ２８ｃに対して、中継手段２４ａで中継される情報並びに書込み編集手段３０ａで書込み・編集される情報を記録すると共に記録情報を読出すものである。この記録、読出し時に地図ＤＢ２８ｂの情報をデータ内容に応じて併用する処理も行う。
【００３２】
店舗一覧ＤＢ２８ａには、店舗に関する情報が格納されている。例えば、店舗一覧ＤＢ２８ａには、図２に示すように、ユーザが調べたい店舗に最も近い駅名を表す最寄駅名データ２８ａ−１、その店舗の名称を表す店舗名データ２８ａ−２、店舗の位置情報を緯度経度で表す所在地データ２８ａ−３、店舗の特徴等が文字や記号等で記述されたコメント情報２８ａ−４及び店舗の写真や動画を表す写真／動画データ２８ａ−５の各々が関連付けられて格納されている。なお、店舗一覧ＤＢ２８ａ中のデータはセキュリティ確保のため暗号化して保存してもよい。
【００３３】
本例の場合、「ＳＨＩＢＵＹＡビル」は、最寄駅が「渋谷駅」で、所在地が「緯度３５度３９分５７．８２３秒（３５．６６６０６２），経度１３９度４１分５１．５３３秒（１３９．６９７６４８）」であって、「１０代−２０代の女性に大人気！」であることに加え、その特徴的な写真や動画が対応付けられている。
この他の例として、「渋谷ラーメン」は、最寄駅が「渋谷駅」で、所在地が「緯度３５度３９分５１．５３３秒（３５．６５８５１７），経度１３９度４２分４．８０２秒（１３９．７０１３３４）」であって、「マイルドなスープが人気のお店。」であることに加え、その特徴的な写真や動画が対応付けられている。
【００３４】
地図ＤＢ２８ｂには、図３に示すように、緯度・経度情報を有する各地域の地図情報２８ｂ−１〜２８ｂ−ｎが格納されている。
店舗画像特徴量ＤＢ２８ｃには、店舗画像の画像特徴量に関する情報が格納されている。例えば、店舗画像特徴量ＤＢ２８ｃには、図４に示すように、ユーザが調べたい店舗に最も近い駅名を表す最寄駅名データ２８ｃ−１、その店舗の名称を表す店舗名データ２８ｃ−２、店舗の外観の写真やイラスト等の画像を表す画像データ２８ｃ−３、上述した特徴量データ２８ｃ−４の各々が関連付けられて格納されている。なお、店舗画像特徴量ＤＢ２８ｃ中のデータはセキュリティ確保のため暗号化して保存してもよい。
【００３５】
このような構成の周辺情報提供システム１０によってユーザに周辺情報の提供を行う際の処理動作を、図５を参照して説明する。但し、ユーザは現在、携帯端末機１２を所持して渋谷駅周辺に居るとする。
ステップＳ１において、ユーザが携帯端末機１２の入力手段１６ａにて位置取得操作を行うと、これに応じてステップＳ２において、位置取得手段２０ａによって携帯端末機１２の現在位置、即ちユーザが居る渋谷駅周辺の現在位置が取得される。この取得されたユーザの位置情報（現在位置情報）は、ステップＳ３において、中継手段２４ａへ送出され、ここから更にステップＳ４において、図示せぬ無線基地局を経由してサーバ１４の中継手段２６ａへ送信される。
【００３６】
なお、携帯端末機１２からサーバ１４へ位置情報を送信する際に、その情報を暗号化して送信してもよい。この暗号化は、位置情報に限らず後述する他の情報においても同様に行ってもよく、サーバ１４から携帯端末機１２へ送信する情報に関して行ってもよい。
その中継手段２６ａでユーザの位置情報が受信されると、ステップＳ５において、同中継手段２６ａから記録手段２８ｄへ送出される。位置情報を受けた記録手段２８ｄは、ステップＳ６において、店舗一覧ＤＢ２８ａの中から、そのユーザの位置情報に緯度経度が対応及び近い所在地データ２８ａ−３を検索し、この所在地データ２８ａ−３が関連付けられた店舗名データ２８ａ−２、コメント情報２８ａ−４及び写真／動画データ２８ａ−５の渋谷駅周辺情報を選択し、これをステップＳ７において中継手段２６ａへ送出する。本例では、渋谷駅周辺情報としてＳＨＩＢＵＹＡビル及び渋谷ラーメンが選択されて送出され、この際、地図ＤＢ２８ｂを参照してユーザの所在地の周辺地図と合わせて送出される。
【００３７】
ここで、ユーザの所在地の周辺情報のみを送ることで、それを受信する携帯端末機１２の稼動負荷を抑えることが可能となる。また、周辺情報のみを携帯端末機１２に送ることで、周辺以外の無意味な情報を送ることを防止でき、ユーザに余計な選択動作を行わせることを防止可能となる。
その周辺情報は、ステップＳ８において中継手段２６ａから中継手段２４ａへ送信され、更にステップＳ９において表示手段１８ａへ送出され、ステップＳ１０で表示手段１８ａに画面表示される。これによってユーザは渋谷駅周辺情報（ＳＨＩＢＵＹＡビル及び渋谷ラーメンの情報）を閲覧することが可能となる。
【００３８】
なお、表示手段１８ａは、一度表示した画面情報を保存し、これを次回同一ケースの際に読み出して表示するようにしてもよい。これによって表示速度が速くなるのでユーザの利便性が向上する。また、表示手段１８ａは、情報受信時にユーザが気付くように鳴動音、振動等の通知を行ってもよい。
また、ステップＳ１１において、ユーザが、入力手段１６ａから所望の店舗のコメント文書や写真／動画データを入力すると、ステップＳ１２において、その入力されたコメント及び写真／動画のデータが中継手段２４ａへ送出され、更にここから、ステップＳ１３においてサーバ１４の中継手段２６ａへ送信される。
【００３９】
更に、そのコメント及び写真／動画のデータは、ステップＳ１４において、同中継手段２６ａから書込み編集手段３０ａへ送出される。このデータを受けた書込み編集手段３０ａは、ステップＳ１５において、記録手段２８ｄを介して店舗一覧ＤＢ２８ａに、その受信したユーザ入力のコメント及び写真／動画のデータを書込み、店舗一覧ＤＢ２８ａの情報を更新する。
この更新処理によって、ユーザへ常に最新の情報を提供することが可能となる。また、書込み編集手段３０ａによるコメント及び写真／動画のデータの書込みの際には、これまで記憶されていた店舗一覧情報をＤＢ内に履歴情報であるＬｏｇとして保管するようにしてもよい。
【００４０】
上記の店舗一覧ＤＢ２８ａの更新後は、ステップＳ１６において、記録手段２８ｄによって更新後の渋谷駅周辺情報が中継手段２６ａへ送出され、更にステップＳ１７において中継手段２６ａから中継手段２４ａへ送信され、更にステップＳ１８において表示手段１８ａへ送出され、ステップＳ１９で表示手段１８ａに画面表示される。これによってユーザは自らが更新した渋谷駅周辺情報を閲覧確認することが可能となる。
【００４１】
次に、図６を参照して、周辺情報提供システム１０によって、カメラ部２２で撮影した店舗画像の特徴量を用いる場合のユーザへの周辺情報提供の処理動作を説明する。
ステップＳ２１において、ユーザが携帯端末機１２の入力手段１６ａにて位置取得操作を行うと、これに応じてステップＳ２２において、位置取得手段２０ａによって携帯端末機１２の現在位置、即ちユーザが居る渋谷駅周辺における現在位置が取得される。この取得されたユーザの位置情報は、ステップＳ２３において、中継手段２４ａへ送出され、ここから更にステップＳ２４において、図示せぬ無線基地局を経由してサーバ１４の中継手段２６ａへ送信される。
【００４２】
また、ユーザがカメラ部２２で情報取得対象の店舗（例えばＳＨＩＢＵＹＡビル）を写真撮影してこれをサーバ１４へ送信する場合、ステップＳ２５において、特徴量取得手段２２ｂでその撮影した写真の画像特徴量が取得される。この取得されたＳＨＩＢＵＹＡビルの画像特徴量は、ステップＳ２６において中継手段２４ａへ送出され、ここからステップＳ２７において、サーバ１４の中継手段２６ａへ送信される。
これら送信されたユーザの位置情報及びＳＨＩＢＵＹＡビルの画像特徴量は中継手段２６ａで受信され、ステップＳ２８において、記録手段２８ｄへ送出される。
【００４３】
それら位置情報及び画像特徴量を受けた記録手段２８ｄは、ステップＳ２９において、まず店舗一覧ＤＢ２８ａの中から、そのユーザの位置情報に緯度経度が対応及び近い所在地データ２８ａ−３を検索し、この所在地データ２８ａ−３が関連付けられた店舗名データ２８ａ−２、コメント情報２８ａ−４及び写真／動画データ２８ａ−５の渋谷駅周辺情報（ＳＨＩＢＵＹＡビル及び渋谷ラーメン）を選択すると共に、店舗画像特徴量ＤＢ２８ｃの中から、そのＳＨＩＢＵＹＡビルの画像特徴量に対応する特徴量データ２８ｃ−４を検索し、この特徴量データ２８ｃ−４が関連付けられたＳＨＩＢＵＹＡビルの店舗名データ２８ｃ−２及び画像データ２８ｃ−３を選択し、双方の選択情報に共通のＳＨＩＢＵＹＡビルに関連する情報（ＳＨＩＢＵＹＡビル関連情報）を最終的に選択する。このＳＨＩＢＵＹＡビル関連情報をステップＳ３０において中継手段２６ａへ送出する。
【００４４】
そのＳＨＩＢＵＹＡビル関連情報は、ステップＳ３１において中継手段２６ａから中継手段２４ａへ送信され、更にステップＳ３２において表示手段１８ａへ送出され、ステップＳ３３で表示手段１８ａに画面表示される。これによってユーザはＳＨＩＢＵＹＡビルの関連情報を閲覧することが可能となる。
また、ステップＳ３４において、ユーザが、入力手段１６ａからＳＨＩＢＵＹＡビルのコメント文書や写真／動画データを入力すると、ステップＳ３５において、その入力されたコメント及び写真／動画のデータが中継手段２４ａへ送出され、更にここから、ステップＳ３６においてサーバ１４の中継手段２６ａへ送信される。
【００４５】
更に、そのコメント及び写真／動画のデータは、ステップＳ３７において、同中継手段２６ａから書込み編集手段３０ａへ送出される。このデータを受けた書込み編集手段３０ａは、ステップＳ３８において、記録手段２８ｄを介して店舗一覧ＤＢ２８ａに、その受信したユーザ入力のコメント及び写真／動画のデータを書込み、店舗一覧ＤＢ２８ａの情報を更新する。
この更新処理によって、ユーザへ常に最新の情報を提供することが可能となる。また、書込み編集手段３０ａによるコメント及び写真／動画のデータの書込みの際には、これまで記憶されていた店舗一覧情報をＤＢ内に履歴情報であるＬｏｇとして保管するようにしてもよい。
【００４６】
上記の店舗一覧ＤＢ２８ａの更新後は、ステップＳ３９において、記録手段２８ｄによって更新後のＳＨＩＢＵＹＡビル関連情報が中継手段２６ａへ送出され、更にステップＳ４０において中継手段２６ａから中継手段２４ａへ送信され、更にステップＳ４１において表示手段１８ａへ送出され、ステップＳ４２で表示手段１８ａに画面表示される。これによってユーザは自らが更新したＳＨＩＢＵＹＡビル関連情報を閲覧確認することが可能となる。
【００４７】
この他、ユーザがカメラ部２２で情報取得対象の店舗（例えばＳＨＩＢＵＹＡビル）を写真撮影する場合、図７のステップＳ２４−１に示すように、補正手段２２ａによって、その撮影時のユーザの手振れや撮影アングルを自動で補正する処理を行ってもよい。この場合、ステップＳ２４−２でその補正後の画像（写真）が特徴量取得手段２２ｂへ送出され、ステップＳ２５において、特徴量取得手段２２ｂでその補正後の写真の画像特徴量が取得されることになる。
【００４８】
このように、本実施の形態の周辺情報提供システム１０によれば、サーバ１４は、店舗の名称を表す店舗名データと、該店舗に最も近い駅名を表す最寄駅名データと、該店舗の位置情報を緯度経度で表す所在地データと、該店舗の情報を文字で記述したコメント情報と、該店舗の写真及び動画を表す写真／動画データとの各々が関連付けられて格納された店舗一覧ＤＢ２８ａと、緯度経度情報を有する各地域の地図情報が格納された地図ＤＢ２８ｂとを記憶し、これらデータベースへのデータの記録及び読出しを行う記録手段２８ｄを有する記憶部２８と、店舗一覧ＤＢ２８ａに、携帯端末機１２から受信した文字及び画像のデータを書込み又は編集する処理を記録手段２８ｄとの連携で行う書込み編集手段３０ａとを備える。
【００４９】
そして、サーバ１４が、携帯端末機１２から現在位置情報を受信した際に、記録手段２８ｄによって店舗一覧ＤＢ２８ａの中から該現在位置情報に緯度経度が対応及び近い所在地データを検索し、この検索所在地データに関連付けられた他のデータを読出し、これを地図ＤＢ２８ｂの同緯度経度の地図情報に併合して周辺情報として該携帯端末機１２へ返信し、また、その返信された周辺情報内の店舗に関するコメント及び写真／動画のデータを同携帯端末機１２から受信した際に、この受信データを書込み編集手段３０ａによって店舗一覧ＤＢ２８ａに書込み又は編集するようにした。
【００５０】
これによって、ユーザが現在地の店舗情報を知りたい場合に、そのユーザが所持する携帯電話機の現在位置情報をトリガとし、この現在位置の周辺の店舗情報をサーバ１４で検索して当該携帯電話機へ送信することができるので、ユーザはその店舗情報を携帯端末機１２に表示して閲覧することが可能となる。更に、ユーザ自身が携帯電話機にて店舗情報を他ユーザに閲覧可能にサーバ１４に追記・編集可能となるので、複数のユーザが常に最新の情報を享受することが可能となる。
【００５１】
また、携帯端末機１２は、画像を撮影するカメラと、このカメラで撮影された画像の特徴量を取得する特徴量取得手段２２ｂを備え、サーバ１４は、店舗の名称を表す店舗名データと、該店舗に最も近い駅名を表す最寄駅名データと、該店舗の画像を表す画像データと、該店舗の画像の特徴量データとの各々が関連付けられて格納された店舗画像特徴量ＤＢ２８ｃを更に備える。
【００５２】
そして、サーバ１４が、携帯端末機１２から現在位置情報及び画像特徴量を受信した際に、記録手段２８ｄによって店舗一覧ＤＢ２８ａの中から該現在位置情報に緯度経度が対応及び近い所在地データを検索し、この検索所在地データに関連付けられた他のデータを選択し、また、店舗画像特徴量ＤＢ２８ｃの中から該画像特徴量に対応する特徴量データを検索し、この特徴量データが関連付けられた他のデータを選択し、双方の選択によるデータに共通のデータを最終的に選択し、この選択データを地図ＤＢ２８ｂの同緯度経度の地図情報に併合して周辺情報として該携帯端末機１２へ返信するようにした。
【００５３】
これによって、ユーザの現在位置情報及び店舗画像特徴量から選定した店舗情報のみをサーバ１４から送信することで、それを受信する携帯端末機１２の稼動負荷を抑えることが可能となる。また、ユーザの希望店舗情報のみを携帯端末機１２に送ることで、それ以外の無意味な情報を送ることを防止でき、ユーザに余計な選択動作を行わせることを防止可能となる。
また、携帯端末機１２が、カメラで撮影時のユーザの手振れや撮影アングルを自動で補正する補正手段２２ａを更に備え、特徴量取得手段２２ｂで画像特徴量を取得する際に、補正手段２２ａでユーザの手振れや撮影アングルを補正し、この補正後の画像の特徴量を取得するようにした。
この構成によれば、撮影時のユーザの手振れや撮影アングルの補正処理によって、より適正な店舗の画像特徴量を得ることができる。
【００５４】
（周辺情報提供方法）
ところで、上述した周辺情報提供システムにおいては、以下のような周辺情報提供方法が実現されている。すなわち、自機の現在位置を取得可能な携帯端末機と、この携帯端末機と通信を行うサーバとを用いた周辺情報提供方法であり、上記携帯端末機の現在位置を取得する位置取得ステップ（図５中のステップＳ１、Ｓ２に対応）と、取得された現在位置に緯度経度が対応及び近い所在地の店舗に関する周辺情報をデータベースから取得する周辺情報取得ステップ（図５中のステップＳ６〜Ｓ９に対応）と、上記データベースに格納されている情報を更新する更新処理ステップ（図５中のステップＳ１２〜Ｓ１５に対応）とを含む周辺情報提供方法が実現されている。
【００５５】
この周辺情報提供方法によれば、ユーザが現在地の店舗情報を知りたい場合に、そのユーザが所持する携帯電話機の現在位置情報をトリガとし、この現在位置の周辺の店舗情報をサーバで検索して当該携帯電話機へ送信することができるので、ユーザはその店舗情報を携帯端末機に表示して閲覧することが可能となる。更に、ユーザ自身が携帯電話機にて店舗情報を他ユーザに閲覧可能にサーバに追記・編集可能となるので、複数のユーザが常に最新の情報を享受することが可能となる。
【００５６】
また、自機の現在位置を取得可能な携帯端末機と、この携帯端末機と通信を行うサーバとを用いた周辺情報提供方法であって、上記携帯端末機の現在位置を取得する位置取得ステップ（図６中のステップＳ２１、Ｓ２２に対応）と、情報取得対象の店舗を撮影した画像の画像特徴量を取得する画像特徴量取得ステップ（図６中のステップＳ２５に対応）と、取得された現在位置及び取得された画像特徴量に対応する情報をデータベースから取得する情報取得ステップ（図６中のステップＳ２９〜Ｓ３２に対応）と、上記データベースに格納されている情報を更新する更新処理ステップ（図６中のステップＳ３５〜Ｓ３８に対応）とを含む周辺情報提供方法も実現されている。
【００５７】
この周辺情報提供方法によれば、ユーザの現在位置情報及び店舗画像特徴量から選定した店舗情報のみをサーバから送信することで、それを受信する携帯端末機の稼動負荷を抑えることが可能となる。また、ユーザの希望店舗情報のみを携帯端末機に送ることで、それ以外の無意味な情報を送ることを防止でき、ユーザに余計な選択動作を行わせることを防止可能となる。
【産業上の利用可能性】
【００５８】
本発明の周辺情報提供システムは、ユーザが旅行や出張等に出かけた際に、そのユーザ現在地の近くに存在する飲食店や娯楽施設等の周辺情報を知りたい場合等に好適に利用可能である。
【図面の簡単な説明】
【００５９】
【図１】本発明の実施の形態に係る周辺情報提供システムの構成を示すブロック図である。
【図２】上記周辺情報提供システムにおけるサーバの店舗一覧ＤＢのデータ構成図である。
【図３】上記周辺情報提供システムにおけるサーバの地図ＤＢのデータ構成図である。
【図４】上記周辺情報提供システムにおけるサーバの店舗画像特徴量ＤＢのデータ構成図である。
【図５】上記周辺情報提供システムによるユーザへの周辺情報提供の処理動作を説明するためのフローチャートである。
【図６】上記周辺情報提供システムの無線端末機での撮影店舗画像の特徴量を用いる場合のユーザへの店舗情報提供の処理動作を説明するためのフローチャートである。
【図７】上記周辺情報提供システムの無線端末機での撮影時の手振れ及びアングル補正時の店舗画像の特徴量を用いる場合のユーザへの店舗情報提供の処理動作を説明するためのフローチャートである。
【符号の説明】
【００６０】
１０  周辺情報提供システム
１２  携帯端末機
１４  サーバ
１６  入力部
１６ａ  入力手段
１８  表示部
１８ａ  表示手段
２０  位置特定部
２０ａ  位置取得手段
２２  カメラ部
２２ａ  補正手段
２２ｂ  特徴量取得手段
２４，２６  通信部
２４ａ，２６ａ  中継手段
２８  記憶部
２８ａ  店舗一覧ＤＢ
２８ｂ  地図ＤＢ
２８ｃ  店舗画像特徴量ＤＢ
２８ｄ  記録手段
３０  演算部
３０ａ  書込み編集手段
【図１】
2009043006.tif 000003
【図２】
2009043006.tif 000004
【図３】
2009043006.tif 000005
【図４】
2009043006.tif 000006
【図５】
2009043006.tif 000007
【図６】
2009043006.tif 000008
【図７】
2009043006.tif 000009